(57)【要約】  【課題】  掬い揚げた雪や土砂等といった対象物の除去や移動のために軽快な取り扱いを可能とし、しかも、より遠くの目標箇所に向けて正確に放り出す作業を実現、可能とする新規な構造からなるショベルおよびそれ用の新規な構造のスイングハンドルを提供する。  【解決手段】  雪Ｓ等の対象物を取り込んだショベル１全体の仮想重心位置Ｇ付近か、あるいはそれよりもやや取入れ縁２１寄りとなる位置かの何れかに、アーチ状であって、中央に配するグリップ６が掬い面２後側縁２３を越えて柄３にまで達するようにした吊下げ揺動杆５が掛け渡されてなる構成のショベル１である。【選択図】    図１
2005030201.tif 000002
【特許請求の範囲】
【請求項１】
先端が直線的な取入れ縁で、その後方に続く平坦面の三方が適度に上方に反り上がった左右側縁および後側縁に形成されてなる適宜大きさの掬い面と、該掬い面後側縁の左右幅略中央から後方に延びる柄とによってショベル本体を形成し、当該掬い面に雪や土砂等対象物を取り込んだときに想定されるショベル全体の仮想重心位置付近か、あるいはそれよりもやや取入れ縁側寄りとなる位置かの何れかに対応する左右側縁間には、アーチ状または門型であって、その中央に配するグリップが掬い面後側縁を越えて柄にまで達するようにした吊下げ揺動杆が掛け渡され、その各端部が左右側縁の所定箇所に脱着自在に取着されてなるものとしたことを特徴とするショベル。
【請求項２】
先端が直線的な取入れ縁で、その後方に続く平坦面の三方が適度に上方に反り上がった左右側縁および後側縁に形成されてなる適宜大きさの掬い面と、該掬い面後側縁の左右幅略中央から後方に延びる柄とによってショベル本体を形成し、当該掬い面に雪や土砂等対象物を取り込んだときに想定されるショベル全体の仮想重心位置付近か、あるいはそれよりもやや取入れ縁側寄りとなる位置かの何れかに対応する左右側縁間には、アーチ状または門型であって、その中央に配するグリップが掬い面後側縁を越えて柄にまで達するようにした吊下げ揺動杆が掛け渡され、その各端部が左右側縁の所定箇所に脱着自在に取着されてなるものとし、左右の手で吊下げ揺動杆グリップと掬い面近傍の柄適所との夫々を把持して対象物を取り込んだ掬い面を抱え揚げることにより、左右の手に掛かる負担を少なくして吊り下げた上、取入れ縁方向へスイングして対象物を目標箇所に放り出してしまうようにしたことを特徴とするショベル。
【請求項３】
先端が直線的な取入れ縁で、その後方に続く平坦面の三方が適度に上方に反り上がった左右側縁および後側縁に形成されてなる適宜大きさの掬い面と、該掬い面後側縁の左右幅略中央から後方に延びる柄とによってショベル本体を形成し、当該掬い面に雪や土砂等対象物を取り込んだときに想定されるショベル全体の仮想重心位置付近か、あるいはそれよりもやや取入れ縁側寄りとなる位置かの何れかに対応する左右側縁間には、アーチ状または門型であって、その中央に配するグリップが掬い面後側縁を越えて柄にまで達するようにした吊下げ揺動杆が掛け渡され、その各端部が左右側縁の所定箇所に選択的に着脱自在に取着されてなるものとしたことを特徴とするショベル。
【請求項４】
先端が直線的な取入れ縁で、その後方に続く平坦面の三方が適度に上方に反り上がった左右側縁および後側縁に形成されてなる適宜大きさの掬い面と、該掬い面後側縁の左右幅略中央から後方に延びる柄とによってショベル本体を形成し、当該掬い面に雪や土砂等対象物を取り込んだときに想定されるショベル全体の仮想重心位置付近か、あるいはそれよりもやや取入れ縁側寄りとなる位置かの何れかに対応する左右側縁間には、アーチ状または門型であって、その中央に配するグリップが掬い面後側縁を越えて柄の辺りにまで達するようにした吊下げ揺動杆が、掬い面に略直立状姿勢ないし添設状姿勢へと可逆的に変更し得る折畳み機構を介して掛け渡され、その各端部が左右側縁の所定箇所に着脱自在に取着されてなるものとしたことを特徴とするショベル。
【請求項５】
先端が直線的な取入れ縁で、その後方に続く平坦面の三方が適度に上方に反り上がった左右側縁および後側縁に形成されてなる適宜大きさの掬い面と、該掬い面後側縁の左右幅略中央から後方に延びる柄とによってショベル本体を形成し、当該掬い面に雪や土砂等対象物を取り込んだときに想定されるショベル全体の仮想重心位置付近か、あるいはそれよりもやや取入れ縁側寄りとなる位置かの何れかに対応する左右側縁間には、アーチ状または門型であって、その中央に配するグリップが掬い面後側縁を越えて柄の辺りにまで達するようにした吊下げ揺動杆が、その各端部を着脱自在に取着、掛け渡された上、当該掬い面に添設状姿勢時にそのグリップを柄に仮止め可能とすると共に、同仮止め時には、該吊下げ揺動杆の一部に兼用するか、別体で同吊下げ揺動杆と連動し得るものとするかした支持脚部が、同掬い面背面側に突出、仮固定されるよう形成してなるものとしたことを特徴とするショベル。
【請求項６】
先端が直線的な取入れ縁で、その後方に続く平坦面の三方が適度に上方に反り上がった左右側縁および後側縁に形成されてなる適宜大きさの掬い面と、該掬い面後側縁の左右幅略中央から後方に延びる柄とによってショベル本体を形成し、当該掬い面に雪や土砂等対象物を取り込んだときに想定されるショベル全体の仮想重心位置付近か、あるいはそれよりもやや取入れ縁側寄りとなる位置かの何れかに対応する左右側縁間には、アーチ状または門型であって、その中央に配するグリップが掬い面後側縁を越えて柄の辺りにまで達するようにした吊下げ揺動杆が、その各端部を着脱自在に取着、掛け渡された上、当該掬い面に添設状姿勢時にそのグリップを柄に仮止め可能とすると共に、同仮止め時には、該吊下げ揺動杆の一部に兼用するか、別体で同吊下げ揺動杆と連動し得るものとするかした支持脚部が、掬い面背面側に突出、仮固定されるよう形成し、当該掬い面取入れ縁と共に接地してショベル全体を自立可能となるようにしたことを特徴とするショベル。
【請求項７】
先端が直線的な取入れ縁で、その後方に続く平坦面の三方が適度に上方に反り上がった左右側縁および後側縁に形成されてなる適宜大きさの掬い面と、該掬い面後側縁の左右幅略中央から後方に延びる柄とによってショベル本体を形成し、当該掬い面に雪や土砂等対象物を取り込んだときに想定されるショベル全体の仮想重心位置付近か、あるいはそれよりもやや取入れ縁側寄りとなる位置かの何れかに対応する左右側縁間には、アーチ状または門型であって、その中央に配するグリップが掬い面後側縁を越えて柄の辺りにまで達するようにした吊下げ揺動杆が、その各端部を着脱自在に取着、掛け渡すと共に、それら取着部分を掬い面背面側に所定長さ夫々屈曲、延長して側面形概略Ｌ字状のものに形成された上、当該掬い面に添設状姿勢時にそのグリップを柄に仮止め可能にすると共に、同仮止め時には、当該吊下げ揺動杆の各端部屈曲、延伸状とした部分からなる支持脚部が、掬い面背面側に突出、仮固定されるよう形成してなるものとしたことを特徴とするショベル。
【請求項８】
先端が直線的な取入れ縁で、その後方に続く平坦面の三方が適度に上方に反り上がった左右側縁および後側縁に形成されてなる適宜大きさの掬い面と、該掬い面後側縁の左右幅略中央から後方に延びる柄とによってショベル本体を形成し、当該掬い面に雪や土砂等対象物を取り込んだときに想定されるショベル全体の仮想重心位置付近か、あるいはそれよりもやや取入れ縁側寄りとなる位置かの何れかに対応する左右側縁間には、アーチ状または門型であって、その中央に配するグリップが掬い面後側縁を越えて柄の辺りにまで達するようにした吊下げ揺動杆が、その各端部を着脱自在に取着、掛け渡された上、当該掬い面に添設状姿勢時にそのグリップを柄に仮止め可能とすると共に、同仮止め時には、別体で当該吊下げ揺動杆の各端部と共に掬い面左右側縁に着脱自在に取着され、夫々後方に突出状とした支持脚部が、掬い面背面側に突出し、同吊下げ揺動杆に対して側面形概略Ｌ字状に仮固定されるよう形成してなるものとしたことを特徴とするショベル。
【請求項９】
先端が直線的な取入れ縁で、その後方に続く平坦面の三方が適度に上方に反り上がった左右側縁および後側縁に形成されてなる適宜大きさの掬い面と、該掬い面後側縁の左右幅略中央から後方に延びる柄とによってショベル本体を形成し、当該掬い面に雪や土砂等対象物を取り込んだときに想定されるショベル全体の仮想重心位置付近か、あるいはそれよりもやや取入れ縁側寄りとなる位置かの何れかに対応する左右側縁間には、アーチ状または門型であって、その中央に配するグリップが掬い面後側縁を越えて柄の辺りにまで達するよう形成され、端部寄りが共に前方に屈曲され、側面形概略横転Ｌ字状とした吊下げ揺動杆が、その各端部を着脱自在に取着、掛け渡された上、当該掬い面に添設状姿勢時にそのグリップを柄に仮止め可能にすると共に、同仮止め時には、該吊下げ揺動杆中途の屈曲部分辺りからなる支持脚部が、同掬い面背面側に突出、仮固定されるよう形成してなるものとしたことを特徴とするショベル。（図１５）
【請求項１０】
左右の支持脚部は、その接地箇所夫々に、ショベル自立時の接地面積の確保およびショベル引き摺りの際の雪上滑走用となる接地用橇板を装着してなるものとした、請求項5ないし9何れか一項記載のショベル。
【請求項１１】
吊下げ揺動杆の折畳み機構は、同揺動構造を兼ね備えたものに形成された、請求項１ないし１０何れか一項記載のショベル。
【請求項１２】
吊下げ揺動杆は、鋼索あるいは針金製等のアーチ型索条から形成され、該索条の左右端と掬い面左右側縁への連結金具との連結部分が揺動構造を形成してなるものとした、請求項１ないし１１何れか一項記載のショベル。
【請求項１３】
吊下げ揺動杆の折畳み機構は、吊下げ揺動杆の左右端と掬い面左右縁への連結金具との連結部分に夫々設けられ、しかも吊下げ揺動杆を、掬い面に対して常時略直立状姿勢へと付勢する弾性自立構造を組み込んでなるものとした、請求項１ないし１２何れか一項記載のショベル。
【請求項１４】
吊下げ揺動杆の折畳み機構には、吊下げ揺動杆を掬い面に添設状姿勢へと変更させたときに、その姿勢を仮固定する掛着機構を、掬い面後側縁適所か、掬い面後側縁近傍の柄適所かの何れかに併設してなるものとした、請求項１ないし１３何れか一項記載のショベル。
【請求項１５】
柄は、その掬い面後側縁寄りであって、左右一方の手で吊下げ揺動杆グリップを保持し、左右他方の手で柄を保持する際に、柄を保持するに相応しい範囲を表示する最適保持範囲表示部を形成してなるものとした、請求項１ないし１４何れか一項記載のショベル。
【請求項１６】
アーチ状または門型であって、その中央に配するグリップが掬い面後側縁を越えて柄の辺りにまで達するようにした吊下げ揺動杆の両端に、先端が直線的な取入れ縁で、その後方に続く平坦面の三方が適度に上方に反り上がった左右側縁および後側縁に形成されてなる適宜大きさの掬い面と、該掬い面後側縁の左右幅略中央から後方に延びる柄とからなるショベル本体の左右側縁適所に掛け渡して装着可能とする着脱機構を設けると共に、掬い面取入れ縁方向に向けてスイング自在に吊下げ保持可能とする揺動構造を組み込んでなるものとした、請求項１ないし１５何れか一項記載のショベルに用いるスイングハンドル。
【請求項１７】
アーチ状または門型であって、その中央に配する回転グリップが掬い面後側縁を越えて柄の辺りにまで達するようにした吊下げ揺動杆の両端に、先端が直線的な取入れ縁で、その後方に続く平坦面の三方が適度に上方に反り上がった左右側縁および後側縁に形成されてなる適宜大きさの掬い面と、該掬い面後側縁の左右幅略中央から後方に延びる柄とからなるショベル本体の左右側縁適所に掛け渡して装着可能とする着脱機構を設けると共に、左右の各着脱機構付近の夫々に、吊下げ揺動杆を掬い面上に略直立状姿勢に保持可能に形成された弾性自立構造を有する折畳み機構を配した上、掬い面取入れ縁方向に向けてスイング自在に吊下げ保持可能とする揺動構造を組み込んでなるものとした、請求項１ないし１５何れか一項記載のショベルに用いるスイングハンドル。
【発明の詳細な説明】
【技術分野】
【０００１】
この発明は、雪掻きや土の掘り下げ、運搬等に使用するショベルに関連するあらゆる分野をその技術分野とするものであって、ショベルおよびそれに付随する部品等を製造する分野は勿論のこと、その製造に必要とする設備、器具類を提供、販売する分野から、それら資材や機械装置、部品類に必要となる素材、例えば、木材、石材、各種繊維類、プラスチック、各種金属材料等を提供する分野、それらに組み込まれる電子部品やそれらを集積した制御関連機器の分野、各種計測器の分野、当該設備、器具を動かす動力機械の分野、そのエネルギーとなる電力やエネルギー源である電気、オイルの分野といった一般的に産業機械と総称されている分野、更には、それら設備、器具類を試験、研究したり、それらの展示、販売、輸出入に係わる分野、将又、それらの使用の結果やそれを造るための設備、器具類の運転に伴って発生するゴミ屑の回収、運搬等に係わる分野、それらゴミ屑を効率的に再利用するリサイクル分野、その他現時点で想定できない新たな分野までと、関連しない技術分野はない程である。                                                                    
【背景技術】
【０００２】
（着眼点）
一般に広く市販されているスノーショベル類は、一度の掬い作業によってより多くの積雪を掬い揚げて放り出すことができるよう、軽量な合成樹脂成型品からなる比較的大型の掬い面、および該掬い面の後部中央から延伸する木製の柄からなるものが主流となっているが、こうした構造のショベルは、乾燥した比較的軽い雪質を扱うときには何等不都合はなくても、水分を多く含んで重くなっている積雪に対しては不向きであり、そのような場面に直面する雪国の人々に多大な負担を強いることとなり、特に高齢者や女性、子供等には、全く手に負えなくなるという欠点をもつものであった。
【０００３】
こうした欠点は、比較的長尺な柄が取り付けられているだけの構造で、その柄を把持するときの位置や姿勢が自ずと構造によって決まってしまって、掬い面上に取り込んだ雪の重量に梃子の原理が作用し、実際の重量よりも遥かに大きな力で持ち上げなければならず、それだけ作業者に掛る負担は大きくなり、また、この不都合な梃子の原理による作用の発生をなくしようとして、より掬い面に近い柄部分を把持して雪掻き作業をしようとすれば、今度は地面近くまで手が届くように低く腰を屈めての窮屈な作業となってしまうことから、何れにしても従来構造のままでの取扱いでは作業負担が大き過ぎることとなっていた。
【０００４】
（従来の技術）
これら従前までのものの有する課題に対処しようとして、例えば実開平０３-１０８０４２号公報の「改良シャベル」考案、特開昭６１-２８６３１号公報の「テコスコ」発明、および特開昭６０-１２９３２８号公報の「スコップ等の構造」発明等に散見されるように、幾つかの改良技術が相次いで開発、提案されており、これらは何れもショベル本体の掬い面と柄との接続部分付近に握持用の固定型もしくは折畳み可能なハンドル、あるいは綱付きの持手を設けたものであり、使用する者が、少し腰を屈めるかあるいは全く腰を屈めずに、掬い面近傍の柄を持ち上げ、保持可能とし、雪掻きの作業性を従前のものより少しでも高められるようにしたものである。
【０００５】
また、前述のものとは基本的に異なる構造によって効率的な除雪作業を目指すものとして、例えば特開昭６３-１０３１０７号公報に開示された「ブランコショベル」発明等があり、これは、掬い面の後側縁中央から揺動自在な柄を延伸させ、該柄の掬い面とは反対側の端部に握持部を設け、掬い面の取込み縁側の左右側縁には、門型をなして一体化された吊り枠を配し、該吊り枠上端の左右中央に、上端に握持部を設けた柄を接続してなる構造とするものであり、使用者は両手で夫々の握持部を把持し、腰を殆ど曲げることなく、掬い面下面を地上面に接した状態で掬い面を取入れ縁方向に揺動させて除雪作業を行うことができるようにした上、掬い面に取り込んだ雪に梃子による作用が働かないようにして吊り上げ可能とするものになってはいるものである。                                                          
【特許文献１】（１）実開平０３-１０８０４２号公報    （２）特開昭６１-２８６３１号公報    （３）特開昭６０-１２９３２８号公報    （４）特開昭６３-１０３１０７号公報
【発明の開示】
【発明が解決しようとする課題】
【０００６】
（問題意識）
しかしながら、前述の何れの提案によるものも、掬い面上の雪の重さにショベル全体の重さを加えた重量よりも大きな力で持ち上げなければならない構造のものに止まっていて、より少ない力で老齢者や婦女子にとって扱い易くなるようにするには更なる改良を必要とするものに留まっており、しかも後者のブランコ型のものに至っては、一般的なショベルに比較してあまりに構造が複雑化するばかりでなく、左右の手で把持した握持部から掬い面までの距離が遠くて操作性に難がある上、どうしてもショベル自体の重量も嵩んでしまい、かえって作業効率を低下させてしまう虞れが懸念されるものであった。
【０００７】
（発明の目的）
そこで、この発明は、従前までのショベル、特にスノーショベルが以上のような状況のままに推移していて、今もって雪掻き作業の効率化を確実に達成できるようにする理想的なスノーショベルが提供されていないという事情に疑問を抱き、こうした課題を一挙に解決できるようにするスノーショベルに代表されるショベルを実現することはできないものかとの判断から、逸速くその開発、研究に着手し、長期に渡る試行錯誤と幾多の試作、実験とを繰り返してきた結果、今回、茲に来て遂に新規な構造からなるショベル、およびそれ用の新規な構造のスイングハンドルを実現化することに成功したものであり、以下では、図面に示すこの発明を代表する実施例と共に、その構成を詳述することとする。                                      
【課題を解決するための手段】
【０００８】
（発明の構成）
図面に示すこの発明を代表する実施例からも明確に理解されるように、この発明に包含されるショベルは、基本的に次のような構成から成り立っている。
即ち、先端が直線的な取入れ縁で、その後方に続く平坦面の三方が適度に上方に反り上がった左右側縁および後側縁に形成されてなる適宜大きさの掬い面と、該掬い面後側縁の左右幅略中央から後方に延びる柄とによってショベル本体を形成し、当該掬い面に雪や土砂等対象物を取り込んだときに想定されるショベル全体の仮想重心位置付近か、あるいはそれよりもやや取入れ縁側寄りとなる位置かの何れかに対応する左右側縁間には、アーチ状または門型であって、その中央に配するグリップが掬い面後側縁を越えて柄にまで達するようにした吊下げ揺動杆が掛け渡され、その各端部が左右側縁の所定箇所に脱着自在に取着されてなるものとした構成を要旨とするショベルである。
【０００９】
この発明のショベルを、表現を変えて示すと、先端が直線的な取入れ縁で、その後方に続く平坦面の三方が適度に上方に反り上がった左右側縁および後側縁に形成されてなる適宜大きさの掬い面と、該掬い面後側縁の左右幅略中央から後方に延びる柄とによってショベル本体を形成し、当該掬い面に雪や土砂等対象物を取り込んだときに想定されるショベル全体の仮想重心位置付近か、あるいはそれよりもやや取入れ縁側寄りとなる位置かの何れかに対応する左右側縁間には、アーチ状または門型であって、その中央に配するグリップが掬い面後側縁を越えて柄にまで達するようにした吊下げ揺動杆が掛け渡され、その各端部が左右側縁の所定箇所に脱着自在に取着されてなるものとし、左右の手で吊下げ揺動杆グリップと掬い面近傍の柄適所との夫々を把持して対象物を取り込んだ掬い面を抱え揚げることにより、左右の手に掛かる負担を少なくして吊り下げた上、取入れ縁方向へスイングして対象物を目標箇所に放り出してしまうようにしたショベルであるということができる。
【００１０】
この基本的な構成によるショベルを、より具体的な構成によるものとして示すと、先端が直線的な取入れ縁で、その後方に続く平坦面の三方が適度に上方に反り上がった左右側縁および後側縁に形成されてなる適宜大きさの掬い面と、該掬い面後側縁の左右幅略中央から後方に延びる柄とによってショベル本体を形成し、当該掬い面に雪や土砂等対象物を取り込んだときに想定されるショベル全体の仮想重心位置付近か、あるいはそれよりもやや取入れ縁側寄りとなる位置かの何れかに対応する左右側縁間には、アーチ状または門型であって、その中央に配するグリップが掬い面後側縁を越えて柄にまで達するようにした吊下げ揺動杆が掛け渡され、その各端部が左右側縁の所定箇所に選択的に着脱自在に取着されてなるものとしたショベルということが可能である。
【００１１】
また、同様に、先端が直線的な取入れ縁で、その後方に続く平坦面の三方が適度に上方に反り上がった左右側縁および後側縁に形成されてなる適宜大きさの掬い面と、該掬い面後側縁の左右幅略中央から後方に延びる柄とによってショベル本体を形成し、当該掬い面に雪や土砂等対象物を取り込んだときに想定されるショベル全体の仮想重心位置付近か、あるいはそれよりもやや取入れ縁側寄りとなる位置かの何れかに対応する左右側縁間には、アーチ状または門型であって、その中央に配するグリップが掬い面後側縁を越えて柄の辺りにまで達するようにした吊下げ揺動杆が、掬い面に略直立状姿勢ないし添設状姿勢へと可逆的に変更し得る折畳み機構を介して掛け渡され、その各端部が左右側縁の所定箇所に着脱自在に取着されてなるものとしたショベルということができる。
【００１２】
（関連する発明１）
上記までのこの発明のショベルに関連し、この発明には次のような構成によるショベルも包含していて、それは、先端が直線的な取入れ縁で、その後方に続く平坦面の三方が適度に上方に反り上がった左右側縁および後側縁に形成されてなる適宜大きさの掬い面と、該掬い面後側縁の左右幅略中央から後方に延びる柄とによってショベル本体を形成し、当該掬い面に雪や土砂等対象物を取り込んだときに想定されるショベル全体の仮想重心位置付近か、あるいはそれよりもやや取入れ縁側寄りとなる位置かの何れかに対応する左右側縁間には、アーチ状または門型であって、その中央に配するグリップが掬い面後側縁を越えて柄の辺りにまで達するようにした吊下げ揺動杆が、その各端部を着脱自在に取着、掛け渡された上、当該掬い面に添設状姿勢時にそのグリップを柄に仮止め可能とすると共に、同仮止め時には、該吊下げ揺動杆の一部に兼用するか、別体で同吊下げ揺動杆と連動し得るものとするかした支持脚部が、同掬い面背面側に突出、仮固定されるよう形成してなる構成を要旨としたショベルである。
【００１３】
これを換言するならば、先端が直線的な取入れ縁で、その後方に続く平坦面の三方が適度に上方に反り上がった左右側縁および後側縁に形成されてなる適宜大きさの掬い面と、該掬い面後側縁の左右幅略中央から後方に延びる柄とによってショベル本体を形成し、当該掬い面に雪や土砂等対象物を取り込んだときに想定されるショベル全体の仮想重心位置付近か、あるいはそれよりもやや取入れ縁側寄りとなる位置かの何れかに対応する左右側縁間には、アーチ状または門型であって、その中央に配するグリップが掬い面後側縁を越えて柄の辺りにまで達するようにした吊下げ揺動杆が、その各端部を着脱自在に取着、掛け渡された上、当該掬い面に添設状姿勢時にそのグリップを柄に仮止め可能とすると共に、同仮止め時には、該吊下げ揺動杆の一部に兼用するか、別体で同吊下げ揺動杆と連動し得るものとするかした支持脚部が、掬い面背面側に突出、仮固定されるよう形成し、当該掬い面取入れ縁と共に接地してショベル全体を自立可能となるようにしたショベルといえる。
【００１４】
この関連する発明が包含するショベルをより具体的なものとして示すならば、先端が直線的な取入れ縁で、その後方に続く平坦面の三方が適度に上方に反り上がった左右側縁および後側縁に形成されてなる適宜大きさの掬い面と、該掬い面後側縁の左右幅略中央から後方に延びる柄とによってショベル本体を形成し、当該掬い面に雪や土砂等対象物を取り込んだときに想定されるショベル全体の仮想重心位置付近か、あるいはそれよりもやや取入れ縁側寄りとなる位置かの何れかに対応する左右側縁間には、アーチ状または門型であって、その中央に配するグリップが掬い面後側縁を越えて柄の辺りにまで達するようにした吊下げ揺動杆が、その各端部を着脱自在に取着、掛け渡すと共に、それら取着部分を掬い面背面側に所定長さ夫々屈曲、延長して側面形概略Ｌ字状のものに形成された上、当該掬い面に添設状姿勢時にそのグリップを柄に仮止め可能にすると共に、同仮止め時には、当該吊下げ揺動杆の各端部屈曲、延伸状とした部分からなる支持脚部が、掬い面背面側に突出、仮固定されるよう形成してなるものとしたショベルであるということができる。
【００１５】
同様に、先端が直線的な取入れ縁で、その後方に続く平坦面の三方が適度に上方に反り上がった左右側縁および後側縁に形成されてなる適宜大きさの掬い面と、該掬い面後側縁の左右幅略中央から後方に延びる柄とによってショベル本体を形成し、当該掬い面に雪や土砂等対象物を取り込んだときに想定されるショベル全体の仮想重心位置付近か、あるいはそれよりもやや取入れ縁側寄りとなる位置かの何れかに対応する左右側縁間には、アーチ状または門型であって、その中央に配するグリップが掬い面後側縁を越えて柄の辺りにまで達するようにした吊下げ揺動杆が、その各端部を着脱自在に取着、掛け渡された上、当該掬い面に添設状姿勢時にそのグリップを柄に仮止め可能とすると共に、同仮止め時には、別体で当該吊下げ揺動杆の各端部と共に掬い面左右側縁に着脱自在に取着され、夫々後方に突出状とした支持脚部が、掬い面背面側に突出し、同吊下げ揺動杆に対して側面形概略Ｌ字状に仮固定されるよう形成してなるショベルも包含している。
【００１６】
また、先端が直線的な取入れ縁で、その後方に続く平坦面の三方が適度に上方に反り上がった左右側縁および後側縁に形成されてなる適宜大きさの掬い面と、該掬い面後側縁の左右幅略中央から後方に延びる柄とによってショベル本体を形成し、当該掬い面に雪や土砂等対象物を取り込んだときに想定されるショベル全体の仮想重心位置付近か、あるいはそれよりもやや取入れ縁側寄りとなる位置かの何れかに対応する左右側縁間には、アーチ状または門型であって、その中央に配するグリップが掬い面後側縁を越えて柄の辺りにまで達するよう形成され、端部寄りが共に前方に屈曲され、側面形概略横転Ｌ字状とした吊下げ揺動杆が、その各端部を着脱自在に取着、掛け渡された上、当該掬い面に添設状姿勢時にそのグリップを柄に仮止め可能にすると共に、同仮止め時には、該吊下げ揺動杆中途の屈曲部分辺りからなる支持脚部が、同掬い面背面側に突出、仮固定されるよう形成してなるものとしたショベルも包含される。
【００１７】
（関連する発明２）
上記したショベルに関連し、この発明には、ショベルに用いるスイングハンドルも包含しており、その構成は基本的に次のとおりのものである。
即ち、アーチ状または門型であって、その中央に配するグリップが掬い面後側縁を越えて柄の辺りにまで達するようにした吊下げ揺動杆の両端に、先端が直線的な取入れ縁で、その後方に続く平坦面の三方が適度に上方に反り上がった左右側縁および後側縁に形成されてなる適宜大きさの掬い面と、該掬い面後側縁の左右幅略中央から後方に延びる柄とからなるショベル本体の左右側縁適所に掛け渡して装着可能とする着脱機構を設けると共に、掬い面取入れ縁方向に向けてスイング自在に吊下げ保持可能とする揺動構造を組み込んでなるものとした、前記何れか記載のショベルに用いるスイングハンドルである。
【００１８】
これをより具体的な構成で示すと、アーチ状または門型であって、その中央に配する回転グリップが掬い面後側縁を越えて柄の辺りにまで達するようにした吊下げ揺動杆の両端に、先端が直線的な取入れ縁で、その後方に続く平坦面の三方が適度に上方に反り上がった左右側縁および後側縁に形成されてなる適宜大きさの掬い面と、該掬い面後側縁の左右幅略中央から後方に延びる柄とからなるショベル本体の左右側縁適所に掛け渡して装着可能とする着脱機構を設けると共に、左右の各着脱機構付近の夫々に、吊下げ揺動杆を掬い面上に略直立状姿勢に保持可能に形成された弾性自立構造を有する折畳み機構を配した上、掬い面取入れ縁方向に向けてスイング自在に吊下げ保持可能とする揺動構造を組み込んでなるものとした構成を要旨とする、前記した発明の基礎をなすショベルに用いることができるようにしたスイングハンドルとなる。                                                        
【発明の効果】
【００１９】
この発明のショベルによれば、スイングハンドルを、掬い面に雪や土砂等対象物を取り込んだときに想定されるショベル全体の仮想重心位置付近か、あるいはそれよりもやや取入れ縁側寄りとなる位置かの何れかに対応する左右側縁間に掛け渡した構造とすることにより、掬い面に雪を取り込んだ後に、該スイングハンドルと柄中途適所との夫々を左右の手で保持して吊り上げ、梃子の作用を発生させずに、最も軽い重量で持ち上げることが可能である上、スイングハンドル自体が比較的軽量で、ショベル全体の重量を軽量化することが可能であり、しかも掬い面近傍のスイングハンドルのグリップと、柄中途適所とを把持して抱え込むように吊り上げる構造なので、スイング操作が容易で、比較的非力な女性や高齢者あるいは子供であっても、高い操作性を確保することができるようになり、利用者にとって負担の大きかった雪掻き作業を大幅に効率化することができ、さらに、同様の構造を土木作業用のショベル等に採用することにより、土砂の掘削や運搬作業を格段に効率化することができるという秀れた特徴が得られるものである。
【００２０】
しかも、吊下げ揺動杆の左右適所に、夫々支持脚部を追加、形成した構造としたものでは、従前までであれば、除雪作業の途中で他の作業を行うときや休憩時、あるいは保管するときなどショベルから手を放す際には、ショベルを地上や雪上に横転させて放置するか、雪面に突き刺したり何かに立てるしかしなければ自立させることができなかったものが、吊下げ揺動杆をショベル掬い面に添うように折り畳んだ状態に仮固定することによって、後方に振り出し状となった左右支持脚部が、掬い面の取入れ縁と間で互いに都合のよい前後間隔を隔てて地上に接地してショベル本体を安定的に自立させることを可能にするものとなり、ショベルが雪中に埋まって探すの無駄な時間を費やすことになったり、柄や握持部に泥等が付着して汚れてしまう、あるいは立て掛け方によっては倒れてしまうといった不都合を生じさせないものとすることできる上、地面やコンクリート上にも簡便に自立させることができ、格納、保管する上でも重宝するという利点が得られる。
【００２１】
したがって、これまで一般に市販されてきていたスノーショベルに代表されるショベルの場合、梃子の原理からして実際に掬い揚げた雪量よりも遥かに大きな重量を持ち上げなければならず、しかも地上の積雪を掬い挙げて、目標箇所に向けて放り出す作用では、腰を大きく屈め、伸ばす作業を繰り返さざるを得ず、使用する者に過大な労力を強いる結果になっており、こうした不都合を解消しようとして柄や握持部等を増設すると、スノーショベル自体の重量が嵩んでしまい、使用者への作業負担をかえって増大させて雪掻きの作業効率を悪化させることになってしまう等といった従前からの不都合は、一挙に解決できるものとなる上、作業中に手を休めたり、あるいはショベルを必要としない作業に移るときなどには、そこら辺りに放置して作業の邪魔をしたり、何かに立て掛けておいたのが倒れて傍にあったものを不用意に傷を付けてしまうといった不都合なども完全に解消されると共に、オフシーズンにおける保管にも利するものになる外、これらの構成を具備した新規なショベルとして提供できるだけではなく、既存のショベルの付属品として提供されて必要に応じて着脱自在に使い分けもできるという効果が得られ、極めて利便性に富んだものとなる。
【００２２】
また、この発明のショベルに関連するスイングハンドルによれば、ショベル本体に対して脱着可能とする着脱機構を有し、且つ折畳み機構を設けた構造としてあることから、先ず、既存のショベルをそのまま活かして上記したこの発明の基本をなす構成のショベルに何時でも変身させることができ、多くの家庭で既に必需品として保有するショベルを無駄にしないで、より利便性あるものとして利用できるという効果が期待できる上、ショベル本体に対し、このスイングハンドルを組み合わせる際に、利用者の体格や体力、雪や土砂類等の対象物の重量等の各種条件に応じて取着位置を変更、調節することができることから、老若男女を問わず誰にでも最適な条件の下での使用ができ、しかも、吊下げ揺動杆のグリップが、掬い面後側縁を越えて柄に達す程度の寸法に設定して吊下げ揺動杆を掬い面に沿うように折り畳み、仮着できるようにしたものでは、通常のショベルと何等変わらないものとして取り扱い、略同等の作業性を得ることもできるものになるなど、使用者による吊り上げやスイング動作による対象物の放り出し作業における操作性を大幅に高め、雪や土砂類の堀込み、掬い揚げ、および目標箇所へ向けた放り出しという一連の作業を円滑で正確に行うことを可能とし、作業者の負担を大幅に軽減化できるものになるという秀れた効果を発揮する。                                                                                            
【発明を実施するための最良の形態】
【００２３】
上記したとおりの構成からなるこの発明の実施に際し、その最良もしくは望ましい形態について説明を加えることにする。
吊下げ揺動杆は、雪や土砂等対象物を掬い面に取り込んだときに想定されるショベル全体の仮想重心位置付近か、あるいはそれよりもやや取入れ縁側寄りとなる位置かの何れかに対応する掬い面左右側縁を、同掬い面取入れ縁方向に向けて揺動自在に吊り下げ状保持可能とする機能を果たし、左右何れか一方の手で保持し、左右何れか他方の手で掬い面近傍の柄適所を把持して対象物を取り込んだ掬い面を抱え揚げ、左右の手に掛かる負担を少なくして吊り下げた上、取入れ縁方向へスイングして対象物を目標箇所に放り出してしまうことを可能とする揺動構造を設けたものとしなければならず、鋼索あるいは針金製等のアーチ型あるいは門型の索条からなり、該索条の左右端と、掬い面左右側縁への連結金具との連結部分が、揺動構造を形成してなるものとすることができる。
【００２４】
グリップは、吊下げ揺動杆を把持する際の手に加わる負担を軽減し、除雪作業や土砂運搬作業等を行う際の手の痛み等の作業者への負担を和らげる機能を果たすものであって、右利きの作業者用として取入れ縁を前方とした際の吊下げ揺動杆左側寄りの位置に設けるか、あるいは左利き作業者用に、取入れ縁を前方とした際の吊下げ揺動杆右側寄りの位置に設けることが可能であるが、誰にでも使い易いように、吊下げ揺動杆の左右略中央付近に設けたものとするのが望ましく、吊下げ揺動杆の左右（軸心）方向には移動せず、同吊下げ揺動杆の軸心回りに回転自在に規制して設けられた回転グリップとすることができる。
【００２５】
折畳み機構は、吊下げ揺動杆をショベル掬い面に沿うように横倒し状の姿勢とすると共に、横倒し姿勢から、掬い面に対して略直立状の姿勢に変更可能とする機能を果たし、吊下げ揺動杆の左右端付近に軸着構造や、鎖や紐等の連結構造によって折り畳み可能なものとしたり、あるいは、弾性変形可能な鋼索や針金製または合成樹脂製の吊下げ揺動杆それ自体を、湾曲状に折り曲げ可能としたものとすることが可能であり、ショベル本体を取入れ縁方向に向けてスイング可能とする揺動構造を兼ね備えたものに形成することができ、また、吊下げ揺動杆の左右端と、掬い面左右縁への連結金具との連結部分に夫々設けられ、しかも吊下げ揺動杆を、掬い面に対して常時略直立状姿勢へと付勢する弾性自立構造を組み込んでなるものとすることができ、同折畳み機構には、吊下げ揺動杆を掬い面に添設状姿勢へと変更させたときに、その姿勢を仮固定する掛着機構を、掬い面後側縁適所か、掬い面後側縁近傍の柄適所かの何れかに併設したものとするのが望ましい。
【００２６】
弾性自立構造は、折畳み機構を有する場合には、それを展開させて当該弾性自立構造を機能する状態とすると、吊下げ揺動杆を、掬い面に対し略直立状の姿勢とし、その状態を維持できるよう弾性的に支持する役目を果たすものであり、より具体的には、弾性変形可能な合成樹脂製のパイプを、吊下げ揺動杆の両端側付近に装着し、折り畳むときには、該パイプを吊下げ揺動杆に沿って移動させ、両端側の軸着箇所（折畳み機構）から外し、吊下げ揺動杆を直立状とする際には、左右端軸着箇所に各パイプを移動させ、各左右端軸着箇所に抱持状に装着して弾性的に支持する構造としたり、あるいは左右端軸着箇所の夫々に、吊下げ揺動杆を直立方向に回動するよう付勢する捩りコイルバネを夫々装着すると共に、吊下げ揺動杆を直立姿勢位置に規制して必要以上に取入れ縁側に横転してしまうのを阻止する直立位置規制部品を設けた構造とすること等が可能である。
【００２７】
揺動構造は、吊下げ揺動杆のグリップを把持し、掬い面近傍の柄を握持してグリップ下方に吊り下げられたショベル全体を掬い面取入れ縁方向に向けてスイング自在とし、吊下げ揺動杆グリップを把持した手の水平移動量よりも大きな範囲に渡り、掬い面を揺動させることを可能とする機能を果たし、雪あるいは土砂類等の対象物に応じた吊下げ強度を有するものとしなければならず、少なくとも吊下げ揺動杆が掬い面に対して直立状の姿勢から、同吊下げ揺動杆グリップがショベル掬い面近傍の柄に達する程度の範囲に揺動できる構造とすべきであり、折畳み機構の機能を兼ねものや、弾性自立構造を併設したものとすることができる。
【００２８】
支持脚部は、ショベル本体を、地上に対して取入れ縁先端を接地させて立てたときに、掬い面の左右後方に突設、延伸状となって接地することにより、安定的に自立可能とするよう、ショベル本体を支持する機能を果たすものであり、ショベルを使用する際には、概ね掬い面に沿って折り畳み状の配置となり、ショベル本体を自立させる場合にのみ、掬い面の左右側後方の夫々に突出状となってショベル本体を転倒しないよう支持可能とするものとしなければならず、例えば、吊下げ揺動杆の各端部から、夫々所定角度をもって側面形概略Ｌ字型とするよう延伸されたものとすることが可能であり、また、概略Ｌ字型の姿勢と、吊下げ揺動杆もしくは掬い面左右縁に添うように折り畳んだ姿勢との双方に仮固定可能とする仮止め機構を添設したものとすることが可能である外、吊下げ揺動杆の左右各端部を、夫々前方に向けて側面形概略横転Ｌ字型に屈曲し、吊下げ揺動杆左右適所に形成された屈曲部分辺りを支持脚部としたものとすることができる。
【００２９】
仮止め機構は、吊下げ揺動杆の各端部に対し、折り畳み可能に設けられた左右の支持脚部を、ショベル掬い面の左右後方に向けて突出させ、取入れ縁先端と共に接地してショベル全体を、自立可能とする姿勢と、吊下げ揺動杆もしくは掬い面に沿って折り畳まれ、添設状となった姿勢との双方に、仮固定可能とする機能を果たすものであり、吊下げ揺動杆の各端部付近に支持脚部の基端側を、所望の姿勢で連結状に仮固定可能とするものとしなければならず、吊下げ揺動杆の各端部もしくわ左右側中途適所に左右水平方向に軸心を向けた内歯車を一体化し、夫々に対応する左右支持脚部の各基端部に所定角度毎に、対応する内歯車に噛合可能な歯車を設け、該歯車の中心に、連結用の鍔付き雄ネジを同心状に一体化したものとして、吊下げ揺動杆に対して支持脚部を所望する任意の角度姿勢として、内歯車と歯車とを嵌合させた上、鍔付き雄ネジの夫々に、内歯車を介して鍔付き蝶ナットを螺合し、吊下げ揺動杆と左右支持脚部とを、その角度姿勢に仮固定すると共に、夫々を連結可能としたものとすることが出来る外、支持脚部の基端側付近に支持脚部に対して所定の開き角度をもって立設された掛止用枝部と、支持脚部に略平行な掛止用枝部とを設け、吊下げ揺動杆に装着された連結管に、何れかの掛止用枝部を挿込み状とするよう装着することにより、吊下げ揺動杆に対して側面概略Ｌ字型となる姿勢に仮固定し、あるいは、吊下げ揺動杆に略平行な姿勢に仮固定できるようにすること等が可能である。
【００３０】
接地用橇板は、各支持脚部の接地部分の接地面積を拡大し、雪上での沈み込みを防止して安定的な接地を可能とすると共に、ショベル握持部を持ち、掬い面底部が、雪上に接するように倒して引き摺るように持ち運ぶ際には、左右支持脚部の接地部分が雪上を円滑に摺動可能とするものとするという機能を果たすものであり、ショベルを雪上で自立させるのに十分な程度の接触面積を確保したものとしなければならず、ショベル取入れ縁先端から柄側に向かう方向に、上向きの湾曲面形状を形成して、柄をもって引き摺り移動する際に、橇の役割を果たすものとすべきである。以下では、図面に示すこの発明を代表する実施例と共に、その構造について詳述することとする。                                                  
【実施例１】
【００３１】
図１のショベルの側面図、図２のショベルの斜視図、図３の吊下げ揺動杆に設けた脱着機構の正面図に示されている事例は、先端に直線的な取入れ縁２１を形成し、その後方に続く平坦面の三方を適度に上方に反り上げ、左右側縁２２，２２および後側縁２３に形成した適宜大きさの掬い面２を設け、該掬い面２後側縁２３の左右幅略中央に、後方に向けて延伸させた柄３を設けてなるショベル本体１１とし、当該掬い面２に雪Ｓを取り込んだときに想定されるショベル全体の仮想重心位置Ｇ付近か、あるいはそれよりもやや取入れ縁２１側寄りとなる位置かの何れかに対応する左右側縁２２，２２間には、アーチ型の中央に配することとなるグリップ６が、掬い面２後側縁２３を越えて柄３にまで達するようにした吊下げ揺動杆５を掛け渡し、その各端部が左右側縁２２，２２の所定箇所に脱着自在に取着されてなる基本的構成からなるこの発明のショベル１における代表的な一実施例を示すものである。
【００３２】
当該ショベル１は、ポリカーボネート製の掬い面２と、該掬い面２の後部に設けられた木製の柄３とを有し、掬い面２の先端には、柄に対して略直線状に形成された取入れ縁２１が形成されており、該取入れ縁２１には、掬い面２をＡＢＳ製やアルミニウム製等の比較的硬度の低い素材を使用した場合等、必要に応じて補強用の金属板を装着することができ、そして、当該取入れ縁２１の後方に連なる平坦面には、補強用の凹凸形状や軽量化のための貫通孔を複数形成するようにするのが望ましく、その左右側縁２２，２２および後側縁２３を上方に向けて反り上がり状に成型した上、これら左右後側縁２２，２２，２３の互いに連続する上端縁は、図３中に示すように、下向きに折曲されて補強枠形状をなすものとされている。
【００３３】
柄３は、掬い面２後側縁２３左右何れか片側に足を掛けた使用者が、掬い面２とは反対側の端部を保持して積雪に突き刺し易い程度の長さ寸法に設定され、該掬い面２とは反対側の端部には、合成樹脂製の握持部３１を装着したものとしているが、軽量化のため握持部３１を敢えて設けないようにしたものとすることもできる。
以上のようにして形成されるこの発明のショベル本体１１は、その掬い面２における雪Ｓを取り込んだときに想定されるショベル１全体の仮想重心位置Ｇ付近か、あるいはそれよりもやや取入れ縁２１寄りとなる位置に規制するようにして、後述する構造に形成してなるスイングハンドル４を脱着自在に取着したものとなっている。
【００３４】
スイングハンドル４は、掬い面２の左右側縁２２，２２間に、掬い面２上に取り込まれた雪Ｓに干渉しないアーチ型をなすよう掛け渡し可能であり、横転させると掬い面２の後側縁２３を僅かに越えて掬い面２に近接する柄３付近に到達可能な寸法に設定されたステンレスワイヤ製あるいはステンレス針金製の吊下げ揺動杆５を有し、その左右略中央付近には、比較的軟質な管状の回転グリップ６が、該吊下げ揺動杆５に同心状且つ回転自在に装着されており、該回転グリップ６は、その外周壁面に滑り止め用の溝や、手指に嵌合状となって荷重を分散可能とする凹凸部分が形成されたものとすることが可能である。
【００３５】
当該スイングハンドル４の左右端には、左右対称形状、同一構造の脱着機構９、弾性自立構造８１を兼ねた折畳み機構８が設けられており、脱着機構９は、図３中に示すように、一対のクリップ片９２，９２を強化スプリング９３によって閉鎖方向に付勢されたクリップ体９１からなり、左右のクリップ体９１，９１の装着の際に掬い面２中央側配置となる一方のクリップ片９２に対し、略Ｌ字状に折曲した吊下げ揺動杆５左右端部を、夫々左右方向の内側から外側に向け、貫通させて回転自在に連結したものとし、吊下げ揺動杆５を掬い面２に対し直立状姿勢と、掬い面２に沿うよう横転させて回転グリップ６を掬い面２近傍の柄３に到達させる姿勢とに夫々姿勢変更可能とする折畳み機構８を形成したものとしている。
【００３６】
この折畳み機構８は、掬い面２の左右側縁２２，２２間に掛け渡し状に装着したスイングハンドル４によって吊り揚げ、ショアベル本体１１を掬い面２取入れ縁２１側に揺動させた上、掬い面２上に取り込んだ雪Ｓを放り出し可能とするようにした揺動構造７を兼ねるものとしてある。
吊下げ揺動杆５の略Ｌ型状に折曲された左右端の夫々には、その水平部分に同心状に捲着き、一端を吊下げ揺動杆５の中央側立ち上がり付近に係合し、他端を対応するクリップ片９２に係合させ、該吊下げ揺動杆５を掬い面２取入れ縁２１方向に向けて弾性的且つ強制的に直立させるよう付勢する捩りコイルバネ８２，８２が設けられ、また前記、一方のクリップ片９２，９２の少なくとも一方、望ましくは双方に、捩りコイルバネ８２，８２によって取入れ縁２１方向に付勢された吊下げ揺動杆５を、直立位置で係合し規制する直立位置規制用の規制用ボルト８３が固着されている。
【００３７】
さらに、クリップ体９１，９１が装着される掬い面２左右側縁２２の外側壁面には、上側縁を、左右側縁２２，２２の下向き端縁に当接させ、背面を、左右側縁２２外側壁面に当接させた正面コ字型のレール状に形成された、アルミニウム製またはステンレス製の取着け補強枠９３，９３を、クリップ体９１，９１の挟着力あるいは適宜、粘着剤やボルト締め付け構造等によって固定状に装着されたものとなっている。
【００３８】
吊下げ揺動杆５を横転させたときに、回転グリップ６が到達する柄３には、同回転グリップ６を、捩りコイルバネ８２，８２の付勢に逆らって係止可能とする鈎型の掛着機構８４が設けられ、さらに、掬い面２の後側縁２３寄りであり、掛着機構８４よりも僅かに握持部３１側となる柄３には、左右一方の手で吊下げ揺動杆５の回転グリップ６を把持した際に、左右他方の手で柄３を握持して抱え込むのに、好適な重量バランスとなる保持範囲を、柄３に表示する印刷、ペイント、粘着テープの巻着け等による最適保持範囲表示部３２が形成されている。
【００３９】
掛着機構８４は、図４の他の掛着機構の斜視図に示してあるように、Ｃ型断面の短尺筒状に形成された一対の弾性挟着部８５，８５の背面同士を、その断面形状の軸心を約９０゜の角度で交叉させるよう配置、一体化したものとし、一方の弾性挟着部８５を柄３の適所に脱着可能に挟着し、他方の弾性挟着部８５で、吊下げ揺動杆５の回転グリップ６を脱着自在に挟着可能とする構造とすることができる。
【００４０】
弾性自立構造８１は、前記した構造の外に、図５の他の弾性自立構造の斜視図に示してあるものように、連結金具８６，８６を掬い面２左右側縁２２，２２の夫々に上下一対のボルト・ナット構造によって固着する一方、スイングハンドル４吊下げ揺動杆５のグリップ６の両側には、軟質合成樹脂製であって連結金具８６に装着可能な内径に設定された直立用パイプ８７，８７を、吊下げ揺動杆５の軸方向に沿って移動自在に装着した上、連結金具８６，８６の各上端に左右方向の貫通孔を穿孔し、対応する貫通孔の夫々に、吊下げ揺動杆５の略逆Ｕ字型に折曲された左右端を挿し通して揺動自在に掛着したものとし、左右の直立用パイプ８７，８７を、連結金具８６，８６と吊下げ揺動杆５左右端との連結箇所まで移動させ、連結金具８６，８６に嵌着状とすることにより、吊下げ揺動杆５の左右端が、直立用パイプ８７，８７の内径縁部分に弾性的に支持される構造とすることができる。                                                                                                              
【実施例２】
【００４１】
図７の発展型の吊下げ揺動杆を装着したショベルの斜視図、図８の自立させたショベルの側面図、および図９のショベルの滑走状態の側面図に示される事例は、グリップ６の中央付近に、柄３への掛着機構８４を設けた吊下げ揺動杆５の各端部を、ショベル掬い面２の左右側縁２２，２２であって、掬い面２上に雪を取り込んだときに想定されるショベル全体の仮想重心位置よりもやや取入れ縁２１側寄りとなる箇所に、ボルト・ナット構造により、脱着可能且つ揺動自在に軸着し、その左右各端から所定角度をもって、吊下げ揺動杆５を含む側面形状が概略Ｌ字型となるよう延伸された支持脚部５１，５１が一体化され、それら左右支持脚部５１，５１の先端には、先端側が掬い面２の上方に向けて湾曲状に反り返った短冊状の金属板からなる接地用橇板５２，５２が固着されたものとなっており、吊下げ揺動杆５に対する左右支持脚部５１，５１の連結角度は、図８中に示すように、該掛着機構８４を、柄３に連結して吊下げ揺動杆５を掬い面２に添うように仮固定したときに、掬い柄２取入れ縁２１と共に、その左右後方に振り出された支持脚部５１，５１先端の各接地用橇板５２，５２を接地させてショベル本体１１を地上に自立させることが可能な角度に設定されている。
【００４２】
また、図１０の支持脚部を折畳み可能な吊下げ揺動杆の分解状態の斜視図、図１１の支持脚部を展開させた吊下げ揺動杆の斜視図、および図１２の支持脚部を折り畳んだ吊下げ揺動杆の斜視図に示すように、吊下げ揺動杆５の左右端付近には、仮止め機構を形成する短尺パイプ状の連結管５３，５３を、吊下げ揺動杆５の軸芯方向に進退自在に装着し、吊下げ揺動杆５の左右端には、連結用の環状部分が形成されて、図示しないショベル掬い面の左右側縁の夫々に水平方向左右から肉厚方向に貫通するよう穿設した取付け孔に連結可能とした連結金具８６，８６に揺動自在に軸着可能としたものであり、それら左右の軸着構造によって支持脚部５１，５１の基端側に形成された連結用環状部分が前後揺動自在に連結されたものとなり、各支持脚部５１，５１の連結用環状部分よりも基端側からは、支持脚部５１，５１に対して凡そ９０゜の角度に突設された展開姿勢連結枝５４，５４が突設され、また、各支持脚部５１，５１の連結用環状部分寄りとなる中途箇所には、各支持脚部５１，５１の先端側に向けて平行状に突出する折畳み姿勢連結枝５５，５５が夫々一体化されたものとなっている。
【００４３】
さらにまた、図１３の仮止め機構に変更を加えた吊下げ揺動杆の斜視図、および図１４の支持脚部を折り畳み状態で仮固定した吊下げ揺動杆の斜視図に示すように、吊下げ揺動杆５の左右端側の所定間隔を隔てた複数箇所に、掛止棒５６，５６，……を内向きに突設したものとする一方、支持脚部５１，５１の中途適所には、先端と中途箇所および基端箇所の夫々に掛着リング５８，５８，……を有する、掛着杆５７，５７を連結し、同図中に示すように、吊下げ揺動杆５に対する左右支持脚部５１，５１の角度姿勢の変化に応じて、掛止棒５６，５６，……に対する各掛着リング５８，５８，……の仮止め位置を、変更自在としたものとすることが可能である。                                                                      
【実施例３】
【００４４】
図１５の一部に変更を加えてなる吊下げ揺動杆を装着したショベルの斜視図、および図１６の自立させたショベルの側面図に示す事例は、門型に形成した吊下げ揺動杆５の各端部を、ショベル掬い面２上に雪を取り込んだときに想定されるショベル全体の仮想重心位置よりもやや取入れ縁２１側寄りとなる掬い面２の左右側縁２２，２２適所に揺動自在に軸着し、その左右各端部寄りとなる中間適所が、共に前方に向けて屈曲され、側面形概略横転L字状として支持脚部５１，５１を形成し、換言すると、吊下げ揺動杆５のグリップ６の左右側と左右各端部との間の左右各中間適所を、夫々掬い面２の後方に向けて突出させるように屈曲して支持脚部５１，５１を形成し、さらにグリップ６の左右端側と、吊下げ揺動杆５左右各端部の軸着部分とを、補強用ワイヤ５９，５９で連結、補強したものである。
【００４５】
（実施例の作用）
以上のとおりの構成からなるこの発明のショベル１、およびそれ用のスイングハンドル４は、図１ないし図３中に示したように、スイングハンドル４の吊下げ揺動杆５の左右端に設けられた着脱機構９のクリップ部９１，９１の夫々を、掬い面２に雪Ｓを取り込んだときに想定されるショベル１全体の仮想重心位置Ｇ付近からやや取入れ縁２１側寄りとなる位置に対応する左右側縁２２，２２間にアーチ状に掛け渡すよう、取着け補強枠９３，９３を介して挟着させ、脱着自在に取着したものとすると、掬い面２に沿うように横転させた吊下げ揺動杆５の回転グリップ６を、柄３に設けられた掛着機構８４に嵌着させた状態とすることにより、一般のスノーショベルと同様の使用が可能となり、柄３端部の握持部３１と同柄３中途適所との夫々を左右の手で握持して積雪Ｓを掬い揚げたり、掬い面２の後側縁２３の左右側の何れかに足を掛けて掬い面２を積雪中に突き刺したりして除雪作業を行うことが可能である。
そして、掬い面２上に雪Ｓを取り込んだ状態において吊下げ揺動杆５の回転グリップ６を掛着機構８４から取り外し、左右の手の何れか一方で回転グリップ６を把持し、左右の手の何れか他方で柄３の最適保持範囲表示部３２が示す範囲内の最適と思われる適所を握持することにより、左右の手で掬い面２を抱え込むように吊り揚げることが可能となる。
【００４６】
図６の取扱い重量をベクトルで示したショベルの側面図中に示すように、同図中の（ａ）に示した従来型のショベルの場合には、仮想重心位置Ｇから距離ｄ約６０ｃｍ離れた柄３中途箇所、さらに距離Ｄ約６０ｃｍ（仮想重心位置Ｇから約１２０ｃｍ）離れた握持部３１を左右の手で夫々把持して仮想重心位置Ｇに働く重量Ｗを持ち上げることとなり、同重量Ｗが５ｋｇの場合に、把持部３１の下向きの力Ｆが５ｋｇ、また、柄３中途箇所の上向きの力Ｌが１０ｋｇ必要となって使用者が持ち上げなければならない総重量は、約３倍の１５ｋｇにまで達してしまうこととなる。
【００４７】
同図中（ｂ）に示した従来における改良型のショベルによれば、仮想重心位置Ｇから柄３側に距離ｄ約５ｃｍの位置に相当する掬い面２の適所に、鎖線で示すように吊下げ杆を設け、該吊下げ杆を一方の手で把持し、同吊下げ杆から距離Ｄ約５０ｃｍとなる柄３中途適所を握持して持ち上げると、仮想重心位置Ｇに働く重量Ｗが５ｋｇのときに、吊下げ杆を持ち上げる手に掛る力Ｌが５．５ｋｇ、柄３中途箇所の手に掛る下向きの力Ｆが０．５ｋｇとなり、持ち上げる総重量が６ｋｇになり、前述の一般的なショベルに比較して大幅に改善されているが、それでも５ｋｇの重量を持ち上げるために６ｋｇの力を要するものとなっていた。
【００４８】
これに対し、当該構造のショベル１によれば、同図中（ｃ）に示すとおり、仮想重心位置Ｇに働く重量Ｗが５ｋｇを持ち上げるのに、仮想重心位置Ｇから取入れ縁２１側に距離ｄ約１０ｃｍの箇所に取着された吊下げ揺動杆５を持ち上げる手にＬ１で示す４ｋｇの力が、また、仮想重心位置Ｇから距離Ｄ約４０ｃｍ離れた柄３の最適保持範囲表示部３２を把持した手にＬ２で示す１ｋｇの力が掛り、両手で吊り上げなければならない総重量を、仮想重心位置Ｇに働く重量Ｗと同じ５ｋｇに抑えることが可能となる。
【００４９】
このようにして左右の手で抱え込むようにして持ち上げたショベル１は、左右の手で図１中の白抜き矢印で示す取入れ縁２１方向に向けてショベル本体１１を揺動させると、吊下げ揺動杆５の揺動範囲において、従来構造の吊下げ揺動杆５を持たないショベルよりも遥かに大きなスイング幅を確保可能となり、より遠くの目標箇所に向けて正確に雪Ｓを放り出すことができるものとなる。
【００５０】
吊下げ揺動杆５は、図３中に示す、左右端に設けられた弾性自立構造８１の捩りコイルバネ８２によって回転グリップ６が装着された中央部分付近が、取入れ縁２１に向けて常時、弾性的に付勢され、しかも、規制用ボルト８３によって掬い面２に対し、直立状となる姿勢に規制されたものとなり、規制用ボルト８３と柄３との間でスイング操作自在となっている。
【００５１】
雪掻きを終えたショベル１は、図１および図２中に示されるように、吊下げ揺動杆５を、その両端に形成された折畳み機構８，８を折り畳み、柄３側に横転状とし、回転グリップ６を掛着機構８４に嵌着させた状態で収納することが可能である外、吊下げ揺動杆５の左右端における着脱機構９，９のクリップ部９１，９１を掬い面２の左右側縁２２，２２から取外し、スイングハンドル４をショベル本体１１とは別に収納、管理することも可能である。なお、スイングハンドル４をショベル本体１１に再度、装着する際には、使用者の体格や体力または積雪の重量等の各種条件に応じてその都度、仮想重心位置Ｇ付近から掬い面２取入れ縁２１までの間の作業し易い位置に、取着して使用することが可能となる。
【００５２】
また、図５中の弾性自立構造８１を兼ねる折畳み機構８によると、左右の各直立用パイプ８７を白抜き矢印で示す上方に移動させ、連結金具８６から離脱させることにより、吊下げ揺動杆５を連結金具８６に対して折畳み自在とし、左右の直立用パイプ８７を下方に移動させて連結金具８６に嵌合させると、仮り固定された同直立用パイプ８７の上端縁が、吊下げ揺動杆５左右端付近を掬い面２に対して直立状且つ弾性的に支持するものとなり、しかも利用者が、吊下げ揺動杆５を吊下げ把持してショベル１を取入れ縁２１方向にスイングさせると、吊下げ揺動杆５の揺動に応じて直立用パイプ８７が弾性変形し、円滑な揺動操作を可能とするものとなる。
【００５３】
図７中に示したショベル１は、前述のものと同様に、除雪の作業負担を軽減することができるものとなる上、図８中に示すように、吊下げ揺動杆５をショベル掬い面２に添うように回動操作して、掛着機構８４にグリップ６を掛着したときに、左右の支持脚部５１，５１が、掬い面２の後方に振り出され、取入れ縁２１を接地させると共に、各支持脚部５１，５１先端の接地用橇板５２，５２を接地させることにより、同図中に示すようにショベル本体１１を自立させることが可能となり、また、掛着機構８４からグリップ６を離脱させ、吊下げ揺動杆５を掬い面２に対して直立状とすることにより、取入れ縁２１側を接地させたまま、図９中の白抜き矢印に示すように、柄３の握持部３１を掴み引き摺りながら移動した際に、その進行方向に各支持脚部５１，５１の接地用橇板５２，５２が向かい、円滑に滑動移動させることが可能となる。
【００５４】
図１０ないし図１２の吊下げ揺動杆５は、図１１中に示すように吊下げ揺動杆５に対して各支持脚部５１，５１を展開させた姿勢とし、展開姿勢連結枝５４，５４を、吊下げ揺動杆５に添うように配置させて連結管５３，５３を、同図中に白抜き矢印で示すように、スライド移動させて嵌合させることで、各支持脚部５１，５１を所定角度に展開させた姿勢に仮止めすることが可能となり、各連結管５３，５３を、展開姿勢連結枝５４，５４から離脱させるようスライド移動させることにより、各支持脚部５１，５１を揺動自在に解放するものとなる。また、図１２中に示すように、各支持脚部５１，５１を吊下げ揺動杆５に添うように折り畳み、同図中に白抜き矢印で示すように、連結管５３，５３をスライド移動させ、各折畳み姿勢連結枝５５，５５を仮止めすることにより、吊下げ揺動杆５に対して各支持脚部５１，５１を折畳み状態に、仮固定することが可能である。
【００５５】
図１３および図１４に示した支持脚部５１，５１は、吊下げ揺動杆５に対して所望する任意の角度姿勢に揺動させたときに、対応した各掛着杆５７，５７の掛着リング５８，５８，……を、吊下げ揺動杆５の何れか対応する掛止棒５６，５６，……に掛着することにより、所望する角度姿勢に仮固定することが可能であり、各支持脚部５１，５１の姿勢角度を適宜変更することによって図８中に示すようなショベル本体１の自立や、図９中に示すような円滑な引き摺り移送が可能となる。
【００５６】
図１５および図１６に示した吊下げ揺動杆５もまた、掬い面２に添うよう回動させて柄３の適所に設けられた掛着機構８４にグリップ６を掛着したときに、図１６中に示すように、掬い面２取入れ縁２１と、その左右後方に振り出された支持脚部５１，５１とが共に接地して、ショベル本体１１を自立させるものとなり、また、そのままの状態でショベル１の握持部３１を掴み引き摺り移動させた場合にも、吊下げ揺動杆５の左右中途適所を折曲して形成した左右支持脚部５１，５１は雪上、または地面上を円滑に滑動するものとなり、さらに、左右中途適所を折曲加工された吊下げ揺動杆５は、グリップ６の左右側と、それに対応する左右各端部とを、補強用ワイヤ５９，５９で連結したものとなっているので、掬い面２上に雪を取り入れた際にも、その荷重を補強用ワイヤ５９，５９が担い、支持脚部５１，５１の変形を阻止するものとなる。
【００５７】
（実施例の効果）
以上のような構成からなる実施例のショベル１、およびそれ用のスイングハンドル４は、前記この発明の効果の項で記載の特徴に加え、索条を用いた吊下げ揺動杆５と回転グリップ６との組合せにより、軽量でありながら十分な強度を確保することができると共に、良好な操作性を確保することができ、着脱機構９，９にクリップ部９１，９１を設けたことによって脱着作業を短時間の中に行うことが可能となる上、取着位置の調整や変更も速やかに行うことができるので使い勝手に秀れ、しかも、捩りコイルバネ８２と規制用ボルト８３とを組み合わせてなる左右の弾性自立構造８１，８１によって吊下げ揺動杆５を、掬い面２に対して弾性的に直立させてあることから、腰を大きく曲げることなくスイングハンドル４の回転グリップ６を把持でき、さらに、最適保持範囲表示部３２が、長い柄３の適所を正確に把持する目安となり、良好なバランスでの吊り上げを確実なものとして握り変えのための抱え直しを解消し、より効率的な雪掻き作業を可能とするという効果を発揮することになる。
【００５８】
また、吊下げ揺動杆の左右に、夫々支持脚部を追加形成したことにより、ショベルを手放す際や保管する際等に、支持脚部を利用したショベル本体の自立が可能となるので、従前までであれば、除雪作業中にショベルを手放す場合には、雪中にショベル掬い面を突き刺したり、雪が氷結してしまっているような場合には、そのままショベルを横転状に放置する外なく、除雪作業で疲労している中、ショベルを突き立てるための労力や横転しているショベルを拾い上げる労力を費やさざるを得ないものであったが、凍結した雪上や地上にも簡便に、自立させることができるものとなり、従来型のショベルに比較して、格段に使い勝手のよいものとすることができる。
【００５９】
さらに、各支持脚部接地箇所の夫々に、接地用橇板を設けたことにより、ショベルを自立させる際に、十分な接地面積を確保して、例え軟弱な地上面や雪上であっても安定的な支持を可能とすることができ、しかもショベル柄の握持部を掴かむ等して引き摺り移動するような場合にも、各接地用橇板が進行方向に向けて反り返った橇板面を形成するので、利用者に負担を掛けずに円滑に搬送することができるという利点を得られるものとなる。
【００６０】
（結  び）
叙述の如く、この発明のショベル、およびそれ用のスイングハンドルは、その新規な構成によって所期の目的を遍く達成可能とするものであり、しかも製造も容易で安価に提供できるだけではなく、スイングハンドルだけの単独販売で、従前から使用していたショベルにも当該スイングハンドルを最適な状態に装着、使用することも可能になり、従来型のショベルおよび従前までの改良型のショベル等に比較し、遥かに経済的で作業効率自体も大幅に高めることができることから、これを使用する者への作業負担を大巾に軽減化して雪掻き作業や土木作業等といったショベルによる作業時間を格段に短縮することができるものとなって、作業の効率化が求められる除雪用具や工具類等の製造、販売に携わる業界各方面からは固よりのこと、何といってもそれを使う一般消費者から高く評価されることとなって、広範に渡って利用、普及していくものになると予想される。                                                                  
【図面の簡単な説明】
【００６１】
図面は、この発明のショベル、およびそれ用のスイングハンドルの技術的思想を具現化した代表的な実施例を示すものである。
【図１】ショベルの構造を示す側面図である。
【図２】ショベルの構造を示す斜視図である。
【図３】スイングハンドルの取着部分を示す正面図である。
【図４】脱着可能な掛着機構を示す斜視図である。
【図５】弾性自立構造の変形例を示す斜視図である。
【図６】ショベルの取扱い重量をベクトルで示す側面図である。
【図７】支持脚部追加の吊下げ揺動杆を装着したショベルを示す斜視図である。
【図８】自立させたショベルを示す側面図である。
【図９】接地用橇板を利用して引き摺り移動するショベルを示す側面図である。
【図１０】支持脚部を折畳み可能とした吊下げ揺動杆を分解して示す斜視図である。
【図１１】支持脚部を展開した吊下げ揺動杆を示す斜視図である。
【図１２】支持脚部を折り畳んだ吊下げ揺動杆を示す斜視図である。
【図１３】一部に変更を加えた吊下げ揺動杆を示す斜視図である。
【図１４】折り畳み状態にある吊下げ揺動杆を示す斜視図である。
【図１５】支持脚部に変更を加えたショベルを示す斜視図である。
【図１６】自立させたショベルを示す側面図である。
【符号の説明】
【００６２】
１      ショベル
１１    同  ショベル本体
２      掬い面
２１    同  取入れ縁
２２    同  左右側縁
２３    同  後側縁
３      柄
３１    同  握持部
３２    同  最適保持範囲表示部
４      スイングハンドル
５      吊下げ揺動杆
５１    同  支持脚部
５２    同  接地用橇板
５３    同  連結管
５４    同  展開姿勢連結枝
５５    同  折畳み姿勢連結枝
５６    同  掛止棒
５７    同  掛着杆
５８    同  掛着リング
５９    同  補強用ワイヤ
６      回転グリップ（グリップ）
７      揺動構造
８      折畳み機構
８１    同  弾性自立構造
８２    同  捩りコイルバネ
８３    同  規制用ボルト
８４    同  掛着機構
８５    同  弾性挟着部
８６    同  連結金具
８７    同  直立用パイプ
９      着脱機構
９１    同  クリップ部
９２    同  一方のクリップ片
９３    同  取着け補強枠
Ｇ      仮想重心位置
Ｓ      雪
Ｗ      重量（雪を掬い揚げたショベル全体の重量）                                            
【図１】
2005030201.tif 000003
【図２】
2005030201.tif 000004
【図３】
2005030201.tif 000005
【図４】
2005030201.tif 000006
【図５】
2005030201.tif 000007
【図６】
2005030201.tif 000008
【図７】
2005030201.tif 000009
【図８】
2005030201.tif 000010
【図９】
2005030201.tif 000011
【図１０】
2005030201.tif 000012
【図１１】
2005030201.tif 000013
【図１２】
2005030201.tif 000014
【図１３】
2005030201.tif 000015
【図１４】
2005030201.tif 000016
【図１５】
2005030201.tif 000017
【図１６】
2005030201.tif 000018